(57)【要約】【課題】二つの情報記憶媒体を用いて画像データの記憶・出力を並行して実行する場合における処理効率を更に向上させることのできる画像処理システムを提供すること。【解決手段】ハードディスクＡ１が選択されて画像データＤ１が記憶されると（時点ｔ１），ハードディスクＡ２への画像データＤ２の記憶が開始されると共に，ハードディスクＡ１からの画像データＤ１の表示出力が開始される。その後，画像データＤ１の表示出力が終了すると（時点ｔ２），ハードディスクＡ２への画像データＤ２の記憶が中止されてハードディスクＡ１への画像データＤ３の記憶が開始されると共に，ハードディスクＡ２からの画像データＤ２の表示出力が開始される。即ち，ハードディスクＡ２への画像データＤ２の記憶処理は，画像データＤ１の表示出力が終了するまでの間継続する。【選択図】図３
2011176647.tif 000002
【特許請求の範囲】
【請求項１】
所定の画像読取手段による一連の画像読取処理によって読み取られる一又は複数の原稿に対応する画像データを，二つの情報記憶媒体に交互にアクセスして分散記憶させるデータ記憶制御手段と，前記分散記憶と並行して前記情報記憶媒体各々に交互にアクセスして該情報記憶媒体に分散記憶された前記画像データを出力するデータ出力制御手段とを備えてなる画像処理システムであって，
前記データ記憶制御手段が，前記データ出力制御手段によるアクセス先の前記情報記憶媒体の切換タイミングを取得する切換タイミング取得手段を備えてなり，前記切換タイミング取得手段により取得される前記切換タイミングに達するまでの間，現在アクセス中の前記情報記憶媒体への画像データの記憶を継続してなることを特徴とする画像処理システム。
【請求項２】
所定の画像読取手段による一連の画像読取処理によって読み取られる一又は複数の原稿に対応する画像データを，二つの情報記憶媒体に交互にアクセスして分散記憶させるデータ記憶制御手段を備えてなるデータ記憶制御装置であって，
前記データ記憶制御手段が，前記分散記憶と並行して前記情報記憶媒体各々に交互にアクセスして該情報記憶媒体に分散記憶された前記画像データを出力するデータ出力制御手段によるアクセス先の前記情報記憶媒体の切換タイミングを取得する切換タイミング取得手段を備えてなり，前記切換タイミング取得手段により取得される前記切換タイミングに達するまでの間，現在アクセス中の前記情報記憶媒体への画像データの記憶を継続してなることを特徴とするデータ記憶制御装置。
【請求項３】
前記データ記憶制御手段が，前記データ出力制御手段によるアクセス先の前記情報記憶媒体が切り換えられるときに前記データ出力制御手段から送信される切換通知を受信したことを条件に前記切換タイミングに達したことを判断するものである請求項２に記載のデータ記憶制御装置。
【請求項４】
二つの情報記憶媒体に交互にアクセスして該情報記憶媒体に分散記憶された前記画像データを出力するデータ出力制御手段を備えてなるデータ出力制御装置であって，
前記データ出力制御手段による画像データの出力と並行して，所定の画像読取手段による一連の画像読取処理によって読み取られる一又は複数の原稿に対応する画像データを前記情報記憶媒体に交互にアクセスして分散記憶させるデータ記憶制御手段に対し，前記データ出力制御手段によるアクセス先の前記情報記憶媒体の切換タイミングを通知する切換通知手段を備えてなることを特徴とするデータ出力制御装置。
【請求項５】
前記データ出力制御手段が，前記情報記憶媒体に記憶された画像データに基づいて画像を所定の表示手段に表示出力するものである請求項４に記載のデータ出力制御装置。
【請求項６】
所定の画像読取手段による一連の画像読取処理によって読み取られる一又は複数の原稿に対応する画像データを，二つの情報記憶媒体に交互にアクセスして分散記憶させるデータ記憶制御工程をコンピュータに実行させるためのデータ記憶制御プログラムであって，
前記データ記憶制御工程が，前記分散記憶と並行して前記情報記憶媒体各々に交互にアクセスして該情報記憶媒体に分散記憶された前記画像データを出力するデータ出力制御手段によるアクセス先の前記情報記憶媒体の切換タイミングを取得する切換タイミング取得工程を備えてなり，前記切換タイミング取得工程により取得される前記切換タイミングに達するまでの間，現在アクセス中の前記情報記憶媒体への画像データの記憶を継続してなることを特徴とするデータ記憶制御プログラム。
【請求項７】
二つの情報記憶媒体に交互にアクセスして該情報記憶媒体に分散記憶された前記画像データを出力するデータ出力制御工程をコンピュータに実行させるためのデータ出力制御プログラムであって，
前記データ出力制御手段による画像データの出力と並行して，所定の画像読取手段による一連の画像読取処理によって読み取られる一又は複数の原稿に対応する画像データを二つの情報記憶媒体に交互にアクセスして分散記憶させるデータ記憶制御手段に対し，前記データ出力制御工程によるアクセス先の前記情報記憶媒体の切換タイミングを通知する切換通知工程をコンピュータに実行させることを特徴とするデータ出力制御プログラム。
【発明の詳細な説明】
【技術分野】
【０００１】
本発明は，一又は複数の原稿に対応する画像データを二つの情報記憶媒体の一方に交互にアクセスして分散記憶させつつ，他方の情報記憶媒体に交互にアクセスして画像データを出力する画像処理システムに関するものである。
【背景技術】
【０００２】
一般に，原稿から読み取った画像データを一つのメモリに記憶する構成が知られているが，この構成では，メモリへの画像データの記憶が終了した後でなければ，メモリから画像データを出力することができない。そのため，画像データの読み取り直後にその画像データを出力したい場合に，その出力までに待ち時間が生じることが問題であった。もちろん，一つのメモリに対して記憶と出力とを並行して行うことも考えられるが，この場合には，メモリへのアクセスが競合するため，効率的な動作ができず処理時間を短縮することはできない。
これに対し，例えば特許文献１では，原稿（フィルム）から読み取った画像データを１コマごとに二つのメモリに交互に記憶すると共に，その一方のメモリに画像データが記憶が行われている間に他方のメモリから画像データを読み出すことにより，画像データの記憶・出力を効率的に行うことが提案されている。
【先行技術文献】
【特許文献】
【０００３】
【特許文献１】特開２００５−７３２８８号公報
【発明の概要】
【発明が解決しようとする課題】
【０００４】
しかしながら，前記特許文献１に係る技術では，画像データを必ず１コマ毎に交互に記憶させているため，一方のメモリから画像データを出力する速度が，他方のメモリに画像データを記憶する速度よりも遅い場合には，その画像データの記憶処理が一時的に待機状態となり，処理が十分に効率的に行われているとは言えない。ここに，図４はこのような場合の問題点を説明するための図であって（ａ）は画像データの記憶先，（ｂ）は画像データ出力の出力元を示すものである。ここでは，画像データＤ１１，Ｄ１２，…は，１コマ毎の画像データであるとする。
図４（ａ）に示すように，まずメモリＡ１１に画像データＤ１１が記憶され，続いて時点ｔ１１でメモリＡ１２に切り換えられて画像データＤ１２が記憶される。このとき，図４（ｂ）に示すように，時点ｔ１１でメモリＡ１１からの画像データＤ１１の出力が開始される。
その後，画像データＤ１１の出力処理と画像データＤ１２の記憶処理とが並行して行われるが，時点ｔ１２においてメモリＡ１２の画像データＤ１２の記憶が終了しても，その記憶速度よりも遅い画像データＤ１１の出力は終了していない。そのため，画像データの記憶処理が中断し，メモリＡ１２が待機状態となる（時点ｔ１２〜ｔ１３）。
そして，時点ｔ１３において，メモリＡ１１からの画像データＤ１１の出力が終わると，次は，メモリＡ１２からの画像データＤ１２の出力が開始され，メモリＡ１１への画像データＤ１３の記憶が開始される。その後も同様に処理が進行することにより，画像データＤ１１，Ｄ１２，…が順次記憶・出力されることとなる。
そのため，メモリＡ１１，Ａ１２を切り換える度に時点ｔ１２〜ｔ１３の間と同様の時間差が生じることとなり，画像データの記憶処理及び出力処理を十分効率的に行うことができない。しかも，一方のメモリが，画像データの記憶と画像データの出力とのいずれにも用いられていない空き状態となると，そのメモリがその画像データの記憶・出力以外の処理で用いられることにより，該画像データの記憶・出力が遅れるおそれもある。
従って，本発明は上記事情に鑑みてなされたものであり，その目的とするところは，二つの情報記憶媒体を用いて画像データの記憶・出力を並行して実行する場合における処理効率を更に向上させることのできる画像処理システム，及びこれに用いられるデータ記憶制御装置，データ出力制御装置，データ記憶制御プログラム，データ出力制御プログラムを提供することにある。
【課題を解決するための手段】
【０００５】
上記目的を達成するために本発明は，所定の画像読取手段による一連の画像読取処理によって読み取られる一又は複数の原稿に対応する画像データを，二つの情報記憶媒体に交互にアクセスして分散記憶させるデータ記憶制御手段と，前記分散記憶と並行して前記情報記憶媒体各々に交互にアクセスして該情報記憶媒体に分散記憶された前記画像データを出力するデータ出力制御手段とを備えてなる画像処理システムに適用されるものであって，前記データ記憶制御手段が，前記データ出力制御手段によるアクセス先の前記情報記憶媒体の切換タイミングを取得する切換タイミング取得手段を備えてなり，前記切換タイミング取得手段により取得される前記切換タイミングに達するまでの間，現在アクセス中の前記情報記憶媒体への画像データの記憶を継続してなることを特徴とする画像処理システムとして構成される。
本発明によれば，前記情報記憶媒体からの画像データの出力速度が，前記情報記憶媒体への画像データの記憶速度よりも遅い場合でも，一方の前記情報記憶媒体からの前記画像データの出力が終了するまでの間は，他方の前記情報記憶媒体に対する前記画像データの記憶が継続し，該他方の前記情報記憶媒体が空き状態になることがないため，処理を効率的に実行させることができ，他の処理などによって前記情報記憶媒体メモリに割り込みが入ることを防止することもできる。
【０００６】
ところで，本発明は，前記データ出力制御手段を有するデータ出力制御装置，或いは前記データ記憶制御手段を有するデータ記憶制御装置の発明として捉えることも可能である。
また，本発明は，前記データ出力制御手段と同様の処理をコンピュータに実行させるためのデータ出力制御プログラムとして捉えてもよい。
さらに，本発明を，前記データ記憶制御手段と同様の処理をコンピュータに実行させるためのデータ記憶制御プログラムとして捉えてもよい。
【発明の効果】
【０００７】
本発明によれば，前記情報記憶媒体からの画像データの出力速度が，前記情報記憶媒体への画像データの記憶速度よりも遅い場合でも，一方の前記情報記憶媒体からの前記画像データの出力が終了するまでの間は，他方の前記情報記憶媒体に対する前記画像データの記憶が継続し，該他方の前記情報記憶媒体が空き状態になることがないため，処理を効率的に実行させることができ，他の処理などによって前記情報記憶媒体メモリに割り込みが入ることを防止することもできる。
【図面の簡単な説明】
【０００８】
【図１】本発明の実施の形態に係る画像処理システムＸの概略構成を示すブロック図。
【図２】本発明の実施の形態に係る画像処理システムＸで実行されるデータ記憶制御処理及びデータ出力制御処理の手順の一例を説明するためのフローチャート。
【図３】本発明の実施の形態に係る画像処理システムＸで実行されるデータ記憶制御処理及びデータ出力制御処理の実行結果の一例を説明するための図。
【図４】従来の画像処理システムで実行されるデータ記憶制御処理及びデータ出力制御処理の実行結果の一例を説明するための図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて，本発明の実施の形態に係る画像処理システムＸの概略構成について説明する。
図１に示すように，前記画像処理システムＸは，ＬＡＮ等のネットワークＮを介して通信可能に接続された複合機Ｙ（データ記憶制御装置の一例），パソコンＺ（データ出力制御装置の一例），及びハードディスクＡ１，Ａ２（情報記憶媒体の一例）を備えている。なお，当該画像処理システムＸにおける通信時，前記複合機Ｙ，前記パソコンＺ，前記ハードディスクＡ１，Ａ２の各々は，個別に与えられたＩＰアドレスやＭＡＣアドレスなどの識別情報によって識別される。
【００１０】
前記複合機Ｙは，不図示の原稿台やＡＤＦ（自動搬送装置）にセットされた一枚又は複数の原稿から画像データを読み取るＣＣＤ等を有する画像読取部１１（所定の画像読取手段）と，当該複合機Ｙを統括的に制御する制御部１２と，前記ネットワークＮを通じて前記パソコンＺや前記ハードディスクＡ１，Ａ２にアクセスするデータ伝送部１３とを備えている。なお，前記複合機Ｙに代えて，前記画像読取部１１を有するスキャナ装置，複写機，ファクシミリ装置などの各種の画像読取装置や画像形成装置を用いてもよい。
もちろん，前記複合機Ｙは，一般的な複写機が有する各種の構成要素（感光体ドラムや現像装置，転写装置，操作表示部，給紙カセットなど）も有しているが，ここでは説明を省略する。
【００１１】
前記ハードディスクＡ１，Ａ２各々は，入力される画像データなどの各種の情報を記憶するものであって，ハードディスクに限らず，読み書きが可能な不揮発性の半導体メモリ（ＥＰＲＯＭ）やフラッシュメモリなどであってもよい。また，前記ハードディスクＡ１，Ａ２は，前記複合機Ｙ及び前記パソコンＺの両者からアクセス可能な前記ネットワークＮ上にあればよく，例えば，前記複合機Ｙ内又は前記パソコンＺ内に設けられたものであってもよい。
【００１２】
一方，前記パソコンＺは，該パソコンＺを統括的に制御する制御部２１と，前記ハードディスクＡ１，Ａ２各々に記憶された画像データを表示出力する液晶ディスプレイなどの表示部２２と，前記ネットワークＮを通じて前記複合機Ｙや前記ハードディスクＡ１，Ａ２にアクセスするデータ伝送部２３とを備えてなるパーソナルコンピュータ（又は情報処理装置）である。なお，前記パソコンＺに代えて，前記表示部２２を有するスキャナ装置，複写機，ファクシミリ装置などの各種の画像読取装置や画像形成装置を用いてもよい。
【００１３】
前記複合機Ｙの制御部１２及び前記パソコンの制御部２１各々は，例えばＣＰＵ，ＲＡＭ，ＲＯＭなどを備えてなり，該ＣＰＵによって所定の制御プログラムを実行することにより各種の処理機能を具現するものである。
具体的に，前記画像処理システムＸでは，前記制御部１２，２１によって後述のデータ記憶制御処理，データ出力制御処理（図２のフローチャート参照）が実行される。
これにより，前記複合機Ｙの制御部１２が，前記画像読取部１１で読み取られる一又は複数の原稿に対応する画像データを前記ハードディスクＡ１，Ａ２の一方に交互にアクセスして分散記憶させ，前記パソコンＺの制御部２１が，前記分散記憶に並行して他方に交互にアクセスして該ハードディスクに分散記憶された画像データを前記表示部２２に表示出力させる。ここに，係る処理を実行するときの前記制御部１２がデータ記憶制御手段，前記制御部２１がデータ出力制御手段に相当する。
なお，前記複合機Ｙ又は前記パソコンＺのアクセス先を前記ハードディスクＡ１，Ａ２の間で切り換えるための手法としては，前記複合機Ｙ又は前記パソコンＺと前記ハードディスクＡ１，Ａ２との間の前記画像データの通信経路を機械的に切り換えることや，前記複合機Ｙ又は前記パソコンＺがアクセス先のＩＰアドレス等を変更することが考えられる。また，前記制御部１２が，一つの原稿についての画像データを分割して複数のハードディスクＡ１，Ａ２に分散記憶する処理や，前記制御部２１が，そのハードディスクＡ１，Ａ２に分散記憶された複数の画像データを復元して表示出力させる処理については従来周知の分割・復元技術を用いればよい。
【００１４】
続いて，図２のフローチャートに従って，前記画像処理システムＸで前記制御部１２及び前記制御部２１が所定の制御プログラムに従って実行するデータ記憶制御処理及びデータ出力制御処理の手順の一例について説明する。なお，図２（ａ）のＳ１１，Ｓ１２，…は前記複合機Ｙ側の制御部１２の処理手順（ステップ）の番号を表し，図２（ｂ）のＳ２１，Ｓ２２，…は前記パソコンＺ側の制御部２１の処理手順（ステップ）の番号を表している。
ここに，前記制御部１２がデータ記憶制御処理（図２（ａ））を実行するために前記複合機Ｙに予めインストールされる制御プログラム（所謂スキャナドライバ等）が本発明に係るデータ記憶制御プログラムであり，前記制御部２１がデータ出力制御処理（図２（ｂ））を実行するために前記パソコンＺに予めインストールされるスキャナドライバ等の制御プログラム（所謂スキャナドライバ等）が本発明に係るデータ出力制御プログラムである。
【００１５】
（パソコンＺ側，ステップＳ２１）
まず，図２（ｂ）に示すように，前記パソコンＺ側では，前記制御部２１によって，画像読取処理の開始要求の有無が判断される。具体的に，前記制御部２１は，前記パソコンＺに設けられた不図示のマウスやキーボードなどの操作表示部に対するユーザ操作により，前記データ出力制御プログラムが立ち上げられ，前記複合機Ｙによる画像読取処理の開始要求操作が行われたか否かにより判断を行う。
ここで，前記画像読取処理の開始要求操作がなされたと判断すると（Ｓ２１のＹｅｓ側），処理はステップＳ２２に移行し，前記制御部２１は，前記複合機Ｙに対して画像読取処理の開始要求信号を送信する。一方，前記画像読取処理の開始要求操作がなされるまでの間は（Ｓ２１のＮｏ側），処理は後述のステップＳ２３に移行する。
【００１６】
（複合機Ｙ側，ステップＳ１１〜Ｓ１２）
一方，図２（ａ）に示すように，前記複合機Ｙ側では，前記制御部１２によって，画像読取処理の開始要求の有無が判断される（Ｓ１１）。具体的に，前記制御部１２は，前記パソコンＺから画像読取処理の開始要求信号を受信した場合（所謂プル型），或いは前記複合機Ｙに設けられた不図示の操作表示部に対するユーザ操作が行われた場合に（所謂プッシュ型），前記画像読取処理の開始要求があったものと判断する。。
ここで，前記画像読取処理の開始要求がなされたと判断すると（Ｓ１１のＹｅｓ側），処理はステップＳ１２に移行し，前記画像読取処理の開始要求がなされなければ，処理は前記ステップＳ１１で待機することとなる。
ステップＳ１２では，前記制御部１２によって前記画像読取部１１が制御され，該画像読取部１１による原稿からの画像データの読み取りが開始される。
そして，前記制御部１２は，以下のステップＳ１３〜Ｓ１８により，前記画像読取部１１で読み取られる画像データを，バンド（例えば１２８ライン）単位で前記ハードディスクＡ１，Ａ２に順次転送させて記憶させる。
【００１７】
（複合機Ｙ側，ステップＳ１３〜Ｓ１６）
より具体的に，前記制御部１２は，まず前記ハードディスクＡ１，Ａ２のいずれか一方を選択して画像データの記憶を開始する（Ｓ１３）。なお，このとき選択されるハードディスクは，前記ハードディスクＡ１，Ａ２のいずれか一方に予め定めたものであってもよいが，その都度，稼働率の低いものを選ぶことや直前の同処理で使用したものと逆のものを選ぶことなど，各種の選択方法が考えられる。
その後，ステップＳ１４において，例えば数バンド程度など，予め設定された所定量の画像データの記憶が終了したと判断するまでは（Ｓ１４のＮｏ側），該選択されたハードディスクへの記憶が継続される。
他方，予め設定された所定量の画像データの記憶が終了したと判断すると（Ｓ１４のＹｅｓ側），処理はステップＳ１５に移行する。
ステップＳ１５では，前記制御部１２は，前記ハードディスクＡ１，Ａ２のうち前記ステップＳ１３で選択されたものと逆のハードディスクを選択して画像データの記憶を開始する。このとき，前記制御部１２は，前記ステップＳ１３で選択されていたハードディスクへのアクセスを終了して該ハードディスクを解放する。これにより，そのハードディスクに対して他の装置からのアクセスが可能となる。
そして，ステップＳ１６では，前記制御部１２は，前記パソコンＺに対して，前記ステップＳ１５で解放したハードディスクに記憶された画像データの出力を開始させるための出力開始要求信号を送信する。
【００１８】
（パソコンＺ側，ステップＳ２３〜Ｓ２５）
前記パソコンＺでは，ステップＳ２３において，前記制御部２１が，前記複合機Ｙからの出力開始要求信号の受信を待ち受けており（Ｓ２３のＮｏ側），出力開始要求信号の受信がなされたと判断すると（Ｓ２３のＹｅｓ側），処理はステップＳ２４に移行する。なお，前記出力開始要求信号には，前記ハードディスクＡ１，Ａ２のいずれから画像データを出力するかなど，前記制御部２１が前記画像データを読み取るために必要な各種の情報が含まれる。
ステップＳ２４では，前記制御部２１が，前記ハードディスクＡ１，Ａ２のうち前記複合機Ｙの制御部１２が現在アクセスしていないハードディスク，即ち前記ステップＳ１３において前記画像データが記憶されていたものを選択し，該ハードディスクから前記画像データを読み出して前記表示部２２に表示出力するための処理を実行する。前記画像データは，例えば前記パソコンＺ内部に設けられた前記制御部２１の内部メモリやハードディスクなどに記憶される。
その後，前記制御部２１は，ステップＳ２５において，前記ステップＳ２４で現在アクセスしているハードディスクに記憶された画像データの出力が終了したと判断すると（Ｓ２５のＹｅｓ側），処理をステップＳ２６に移行させ，終了するまでの間は（Ｓ２５のＮｏ側），処理をステップＳ２８に移行させる。
【００１９】
（パソコンＺ側，ステップＳ２６〜Ｓ２８）
ステップＳ２６では，前記制御部２１は，画像データの出力元としてアクセスするハードディスクを他方のハードディスクに切り換える旨の出力切換通知を前記複合機Ｙに送信する。これにより，前記複合機Ｙ側の制御部２１では，前記パソコンＺ側の制御部１２による現在のアクセス状況を特定することが可能となる。なお，前記出力切換通知には，例えば前記制御部２１が現在アクセス中のハードディスクや，次にアクセスするハードディスクについての情報が含まれる。
そして，ステップＳ２７では，前記制御部２１が，現在アクセス中のハードディスクから逆のハードディスクにアクセス先を切り換えて画像データの出力処理を開始する。
その後，ステップＳ２８では，前記画像読取処理における全ての原稿についての画像データの表示出力が終了したか否かが判断され，終了した場合には（Ｓ２８のＹｅｓ側），当該一連のデータ出力制御処理が終了し，処理は前記ステップＳ２１に戻されるが，終了していなければ（Ｓ２８のＮｏ側），処理は前記ステップ２５に戻される。
このように，前記パソコンＺ側では，前記制御部２１によって，前記データ出力制御処理が実行されることにより，前記複合機Ｙによって画像データが分散記憶される前記ハードディスクＡ１，Ａ２に交互にアクセスすることにより，該画像データが前記表示部２２に順次表示出力されることとなる。
【００２０】
（複合機Ｙ側，ステップＳ１７）
他方，前記制御部１２は，ステップＳ１７において，前記パソコンＺ側の制御部２１から出力切換通知を受信したか否かを判断している。ここで，前記出力切換通知を受信すると（Ｓ１７のＹｅｓ側），前記パソコンＺ側の制御部２１によるアクセス先の前記ハードディスクＡ１，Ａ２の切換タイミングが到来したものとして，処理はステップＳ１８に移行する。他方，前記出力切換通知を受信するまでの間は（Ｓ１７のＮｏ側），前記パソコンＺ側の制御部２１によるアクセス先の前記ハードディスクＡ１，Ａ２の切換タイミングが到来していないものとして，処理はステップＳ１９に移行する。このように，前記制御部２１から前記出力切換通知を受信したことを条件に前記切換タイミングに達したことを判断するときの前記制御部１２が切換タイミング取得手段に相当する。なお，前記制御部１２が前記切換タイミングを判断するための手法はこれに限らず，例えば前記制御部１２が前記パソコンＺ側に問い合わせることや前記ハードディスクＡ１，Ａ２の状態を監視することなどによって取得してもよい。また，前記制御部２１からの前記出力切換通知が，所定時間経過後にアクセス先の切り換えを行う旨の情報が含まれている場合には，その出力切換通知を受信してから前記所定時間経過後に前記切換タイミングに達したと判断することも他の実施例として考えられる。
【００２１】
（複合機Ｙ側，ステップＳ１８〜Ｓ１９）
そして，ステップＳ１８では，前記制御部１２は，前記画像読取部１１で読み取られる画像データの記憶先を，前記ハードディスクＡ１と前記ハードディスクＡ２との間で切り換える。例えば，現在前記ハードディスクＡ１にアクセスして画像データを記憶している場合には，他方の前記ハードディスクＡ２にアクセスして画像データの記憶を開始させる。これにより，前記制御部１２は，前記パソコンＺの出力元となっているハードディスクと逆のハードディスクにアクセスして画像データを記憶させることとなる。即ち，前記複合機Ｙによる前記ハードディスクＡ２への画像データの記憶処理は，前記パソコンＺによる該ハードディスクＡ２からの画像データの表示出力が終了するまでの間継続する。
このように，前記画像処理システムＸにおいて，前記制御部１２による画像データの記憶処理と前記制御部２１による画像データの表示出力処理とは並行して実行されるが，前記制御部１２及び前記制御部２１による前記ハードディスクＡ１，Ａ２へのアクセスは競合しないよう制御される。
その後，ステップＳ１９では，前記制御部１２によって，前記画像読取処理における全ての原稿についての画像データの記憶処理が終了したか否かが判断され，終了した場合には（Ｓ１９のＹｅｓ側），当該一連のデータ記憶制御処理が終了し，処理は前記ステップＳ１１に戻されるが，終了していなければ（Ｓ１９のＮｏ側），処理は前記ステップ１７に戻される。なお，当該一連のデータ記憶制御処理が終了する時点（Ｓ１９のＹｅｓ側）で最後にアクセスしていたハードディスクは解放される。
【００２２】
以下，図３を参照しつつ，前記画像処理システムＸにおいて前記複合機Ｙ及び前記パソコンＺで前記データ記憶制御処理及び前記データ出力制御処理が実行された結果の一例について説明する。なお，図３（ａ）はデータ記憶制御処理の記憶先，図３（ｂ）はデータ出力制御処理の出力元を示すものである。ここで，図３に示す画像データＤ１，Ｄ２，…は，例えば，一枚の原稿に対応する画像データの一又は複数のバンドに対応する画像データであって，そのデータ量は，前記複合機Ｙによる前記ハードディスクＡ１，Ａ２への画像データの記憶速度と前記パソコンＺによる前記ハードディスクＡ１，Ａ２からの画像データの表示出力速度との差に応じて変化する。
ここでは，説明の便宜上，前記複合機Ｙによる前記ハードディスクＡ１，Ａ２への画像データの記憶速度が，前記パソコンＺによる前記ハードディスクＡ１，Ａ２からの画像データの表示出力速度の約１．５倍であるものとする。また，図３（ａ）に示すように，前記複合機Ｙで画像データの読み取りが開始されるとき，まず前記ハードディスクＡ１が選択されるものとする。
【００２３】
図３（ａ）に示すように，まずは前記ハードディスクＡ１が選択されて，前記複合機Ｙから前記ハードディスクＡ１に所定量の画像データＤ１が記憶される（図２のＳ１３）。そして，時点ｔ１で前記所定量の画像データＤ１の記憶が終了すると（図２のＳ１４Ｙｅｓ側），次に前記複合機Ｙは，前記ハードディスクＡ１を解放して前記ハードディスクＡ２にアクセスし，続きの画像データＤ２の記憶を開始する（図２のＳ１５）。
このとき，図３（ｂ）に示すように，前記時点ｔ１で前記ハードディスクＡ１が解放されると（図２のＳ２３Ｙｅｓ側），前記パソコンＺは，該ハードディスクＡ１にアクセスして画像データＤ１の表示出力を開始する（図２のＳ２４）。
図３の時点ｔ２において前記パソコンＺによる画像データＤ１の表示出力が終了すると（図２のＳ２５Ｙｅｓ側），該パソコンＺから前記複合機Ｙに対して，前記ハードディスクＡ１から前記ハードディスクＡ２に切り換える旨の出力切換通知が送信される（図２のＳ２６）。
これにより，前記複合機Ｙでは，前記出力切換通知の受信に応じて，前記制御部１２によって，前記ハードディスクＡ２への画像データＤ２の記憶が中止され，前記ハードディスクＡ１に対して，次の画像データＤ３の記憶が開始される（図２のＳ１８）。即ち，前記複合機Ｙによる前記ハードディスクＡ２への画像データＤ２の記憶処理は，前記パソコンＺによる画像データＤ１の表示出力が終了するまでの間継続することとなる。そのため，前記画像データＤ２のデータ量は，前記画像データ量Ｄ１よりも多くなる。
一方，前記パソコンＺでは，前記制御部２１が前記ハードディスクＡ２にアクセスし，次の画像データＤ２の表示出力を開始する（図２のＳ２７）。そして，その後も同様に処理が進行することにより，前記複合機Ｙ及び前記パソコンＺによって交互に前記ハードディスクＡ１，Ａ２へのアクセスが行われ，画像データＤ１，Ｄ２，…の記憶及び出力が並行して実行されることになる。
このように，前記画像処理システムＸでは，前記ハードディスクＡ１，Ａ２のいずれも空き状態になることがなく，画像データの記憶処理又は画像データの表示出力処理において用いられることとなる。
【００２４】
以上説明したように，前記画像処理システムＸでは，前記パソコンＺによる画像データの表示出力処理に要する時間が，前記複合機Ｙによる画像データの記憶処理に要する時間よりも長い場合であっても，その時間差の間も前記複合機Ｙによる画像データの記憶が継続して行われることとなるため，予め設定された所定量（例えば１コマ）ずつ交互に記憶させる場合に比べて，前記ハードディスクＡ１，Ａ２を効率的に利用して迅速に処理を行うことができる。
しかも，前記画像処理システムＸにおける画像読取処理が開始されると，その後は，前記ハードディスクＡ１，Ａ２が前記複合機Ｙ及び前記パソコンＺによって常にアクセスされた状態（占有状態）となるため，前記ハードディスクＡ１，Ａ２が一時的に空き状態になることがなく，他の装置によって割り込まれて前記ハードディスクＡ１，Ａ２が利用されることを防止することができ，該画像読取処理の遅延が防止される。
【符号の説明】
【００２５】
１１…画像読取部（画像読取手段の一例）
１２…制御部
１３…データ伝送部
２１…制御部
２２…表示部
２３…データ伝送部
Ａ１，Ａ２…ハードディスク（情報記憶媒体の一例）
Ｎ…ネットワーク
Ｘ…画像処理システム
Ｙ…複合機
Ｚ…パソコン
【図１】
2011176647.tif 000003
【図２】
2011176647.tif 000004
【図３】
2011176647.tif 000005
【図４】
2011176647.tif 000006